(57)【要約】【課題】マットレスとソファーとを同時に使用することができるマットレスを提供する。【解決手段】マットレス１は、人間が横たわれる長方形状の第一マット１０と、前記第一マット１０の一方の長辺側に有する第二マット２０と、前記第二マット２０において前記第一マット１０側と対向する長辺側に有する第三マット３０と、を備える。前記第一マット１０、前記第二マット２０及び前記第三マット３０の各々は、折り曲げ可能な連結部を介して連結されている。【選択図】図１
2020028376.tif 000002
【特許請求の範囲】
【請求項１】
人間が横たわれる長方形状の第一マットと、
前記第一マットの一方の長辺側に有する第二マットと、
前記第二マットにおいて、前記第一マットと対向する長辺側に有する第三マットと、を備え、
前記第一マット、前記第二マット及び前記第三マットの各々は、折り曲げ可能な連結部を介して連結されていることを特徴とするマットレス。
【請求項２】
前記第一マット、前記第二マット及び前記第三マットの各々の厚みは同じである請求項１に記載のマットレス。
【請求項３】
請求項１又は２のいずれかに記載のマットレスを備えるベッド。
【発明の詳細な説明】
【技術分野】
【０００１】
本発明は、マットレスに関し、より詳しくは、ソファーとしても使用できるマットレスに関する。
【背景技術】
【０００２】
特許文献１には、従来のソファー兼用折り畳みマットレスが開示されている。特許文献１に記載されたソファー兼用折り畳みマットレスは、４個に分割された単体マットを備え、単体マットの各々が連結されている。
【０００３】
特許文献１に記載されたマットレスでは、折り畳み形態にすると座部と背もたれ部が構成されてソファーとして使用することができ、展開形態にすると、全体が平坦になりマットレストして使用することができる。
【先行技術文献】
【特許文献】
【０００４】
【特許文献１】特開５９−１７４１１１号公報
【発明の概要】
【発明が解決しようとする課題】
【０００５】
しかしながら、特許文献１に記載されたマットレスでは、一方の形態に変形して使用しているときは、他方の形態で使用することができないため、マットレスとソファーとを同時に使用することかできなかった。
【０００６】
本発明は、上記事情に鑑みてなされ、マットレスとソファーとを同時に使用することができるマットレスを提供することを目的とする。
【課題を解決するための手段】
【０００７】
本発明に係る一態様のマットレスは、人間が横たわれる長方形状の第一マットと、前記第一マットの一方の長辺側に有する第二マットと、前記第二マットにおいて前記第一マット側と対向する長辺側に有する第三マットと、を備える。前記第一マット、前記第二マット及び前記第三マットの各々は、折り曲げ可能な連結部を介して連結されている。
【発明の効果】
【０００８】
本発明のマットレスは、マットレスとソファーとを同時に使用できるという利点がある。
【図面の簡単な説明】
【０００９】
【図１】図１は、本発明の一実施形態に係るマットレスの斜視図である。
【図２】図２は、同上のマットレスの断面図である。
【図３】図３は、同上のマットレスの使用図であり、（Ａ）はベッドとして使用している図、（Ｂ）はソファーとして使用している図である。
【図４】図４は、変形例にかかるマットレスの正面図である。
【図５】図５は、別の変形例にかかるマットレスの正面図である。
【発明を実施するための形態】
【００１０】
図１〜図３に示すように、本実施形態に係るマットレス１は、第一マット１０と第二マット２０と第三マット３０とを備える。第一マット１０、第二マット２０及び第三マット３０の各々は、折り曲げ可能な連結部４０を介して連結される。
【００１１】
第一マット１０は長方形状に形成されている。第一マット１０は人間が横たわれるサイズであれば良く、例えば、一般的なシングルサイズ（幅９７ｃｍ、長さ１９５ｃｍ）、セミダブルサイズ（幅１２２ｃｍ、長さ１９５ｃｍ）、ダブルサイズ（幅１４０ｃｍ、長さ１９５ｃｍ）などが挙げられる。
【００１２】
第一マット１０の厚みは、一般的なマットレスの厚みを採用でき、例えば３ｃｍ〜５０ｃｍを採用できる。ここで、「厚み」とは上下方向の長さ（高さ）をいう。
【００１３】
図１、図２に示すように第二マット２０は、第一マット１０における一方の長辺側に有する。第三マット３０は、第二マット２０において第一マット１０と対向する長辺側に有する。
【００１４】
第二マット２０及び第三マット３０は、長方形状に形成されている。第二マット２０及び第三マット３０の具体的なサイズは次のとおりである。
【００１５】
第二マット２０及び第三マット３０の長さは、例えば、第一マット１０と同様に設定することができる。すなわち、一般的なシングルサイズ、セミダブルサイズ、ダブルサイズなどが挙げられる。具体的には第二マット２０及び第三マット３０の長さは、例えば、１９５ｃｍを採用できる。
【００１６】
第二マット２０及び第三マット３０の厚みは、第一マット１０と同様に設定することができる。第二マット２０及び第三マット３０の厚みは、第一マット１０と合わせて、例えば３ｃｍ〜５０ｃｍに設定できる。
【００１７】
第二マット２０及び第三マット３０の幅は、ベッド本体８の高さに合わせて任意に設定でき、たとえば、２０ｃｍ〜１００ｃｍに設定できる。
【００１８】
図２に示すように、第一マット１０、第二マット２０及び第三マット３０の各々は、中材１１と中材１１を被覆する被覆材１２とから構成される。中材１１は、例えば、軟質ポリウレタンフォーム、ポリエステルなどによって構成される。被覆材１２は、例えば、布地などで構成されている。
【００１９】
図２に示すように、マットレス１は連結部４０を２箇所有する。連結部４０は第一マット１０と第二マット２０を連結し、第二マット２０と第三マット３０とを連結する。具体的には、連結部４０は、第一マット１０の長辺側と第二マット２０の長辺側とを連結し、第二マット２０の長辺側と第三マット３０の長辺側とを連結している。第一マット１０と第二マット２０とを連結する連結部４０は、下面側に配置され、第二マット２０と第三マット３０とを連結する連結部４０は上面側に配置されている。
【００２０】
連結部４０は、折り曲げ可能に構成されている。具体的には、連結部４０は、第一マット１０、第二マット２０、第三マット３０よりも、厚みが薄い布材などで構成される。マットレス１は、連結部４０の部分において山折り、谷折りのように折り曲げ可能にできる。
【００２１】
図３に示すように、マットレス１は、ベッド本体８に設置されるものである。ベッド本体８は、床板８１とヘッドボード８２と脚部８３とを備える。
【００２２】
次に使用状態について説明すると、図３に示すように、使用者は、マットレス１をベッド本体８に設置する。具体的には、第一マット１０はベッド本体８の床板８１上（マットレスを敷く部分）に配置される。第二マット２０はベッド本体８の床板８１の側面（垂直面）に立てかけるように配置される。このとき、第二マット２０は第一マット１０がベッド本体８の上面に設置されていることで、床面に対して垂直状態で宙吊りにされている。第三マット３０は、床面に平行になるように配置される。これにより、マットレス１を設置する作業は完了する。
【００２３】
図３に示すように、マットレス１の設置状態において、マットレス１として使用する際は、使用者は第一マット１０の上面に横たわれば良い。ソファーとして使用する際は、使用者は第二マット２０を背凭れとし、第三マット３０を座面として座ればよい。
上記実施形態のマットレス１は以下の効果を奏する。
【００２４】
（１）上記実施形態によると、第一マット１０は人間が横たわれるサイズに形成されており、第二マット２０は、第一マット１０の一方の長辺側に有する一方、第三マット３０は、第二マット２０において第一マット１０側と対向する長辺側に有する。
【００２５】
このように構成されていることで、第一マット１０をベッド本体８に配置し、第二マット２０をベッド本体８の床板８１の側面（垂直面）に立てかけるように配置し、第三マット３０を床面に平行になるように配置すると、第一マット１０では人間が横たわってベッドとして使用できるとともに、第二マット２０を背凭れとし、第三マット３０を座面として使用することで、ソファーとして使用できる。ひいては、マットレス１は、マットレスとソファーとを同時に使用できる。これにより、スペースを取らないため、一人暮らしの部屋（狭い部屋）でも使用できる。
【００２６】
（２）上記実施形態によると、第一マット１０と第二マット２０とを連結する連結部４０は、下面側に配置され、第二マット２０と第三マット３０とを連結する連結部４０は上面側に配置されている。連結部４０は、第一マット１０、第二マット２０、第三マット３０よりも、厚みが薄い布材などで構成される。このため、マットレスを連結部４０の部分で、山折り、谷折りのように折り曲げて、コンパクトに可能にできる。
【００２７】
（３）上記実施形態によると、第二マット２０及び第三マット３０の各々の厚みは、第一マット１０と同様に構成されている。
【００２８】
この態様よれば、第一マット１０、第二マット２０及び第三マット３０のいずれも床面と平行に敷くことで、第一マット１０のみではなく、第二マット２０および第三マット３０を含めて、マットレスとして使用することもできる。ひいては、第一マット１０のみをマットレスとして使用するよりも、面積が大きいマットレスとして使用できる。
【００２９】
（４）上記実施形態によると、ベッド本体８は、上記実施形態にかかるマットレス１を備えているため、上述したマットレス１の効果を奏することができる。
【００３０】
以上、本発明を一実施形態に基づいて説明してきたが、本発明は上記実施形態に限定されるものではなく、その発明の範囲で適宜変更可能であり、例えば以下のように構成してもよい。以下における変形例と上記実施形態とは適宜組み合わせて用いることができる。
【００３１】
上記実施形態では、第二マット２０及び第三マット３０は、長方形状に形成されているとしたが、例えば、図４中に示す（Ａ）、（Ｂ）及び（Ｃ）に示すように、第二マット２０および第三マット３０の長さは、第一マット１０の半分程度どの長さとしても良い。また、第二マット２０及び第三マット３０の形状は、長方形状に限定されるものではなく、例えば、正方形、円形、楕円形、三角形、その他任意に形状としてもよい。
【００３２】
上記実施形態では、第二マットおよび第三マットの位置は、第二マット２０は、第一マット１０の一方の長辺側に有し、第三マット３０は、第二マット２０において第一マット１０と対向する長辺側に有すればよいとしたが、本発明はこれに限定されるものではない。例えば、図４（Ａ）に示すように第一マット１０の長さ方向の頭側（図面上の左側）、図４（Ｂ）に示すように第一マット１０の長さ方向の中央側、図４（Ｃ）に示すように第一マット１０の長さ方向の足側（図面上の右側）に配置してもよい。この場合、各マットの長さおよび形状は適宜変更できる。
【００３３】
上記実施形態において、マットレス１は第一マット１０、第二マット２０、第三マット３０を有するが、図５に示すように、第二マット２０および第三マット３０と対向する長辺側に、第四マット４および第五マット５を有してもよい。
【００３４】
このように構成することで、変形例３のマットレスは、第一マットのいずれの長辺側にも、マット（一方に第二マットおよび第三マット、他方に第四マットおよび第五マット）が配置させることができる。ひいては、第一マットのいずれの長辺側でも、ソファーとして使用できる。
【００３５】
上記実施形態では、連結部４０は、第一マット１０、第二マット２０、第三マット３０よりも、厚みが薄い布材などで構成されているとしたが、本発明は、特にこれに限定されるものではなく、例えば、連結部の内部にクッション性を有する中材４１を備えても良く、連結部の内部にヒンジ、ラチェットギアなどを備えることにより、折り曲げ可能としても良い。
【００３６】
第一マット１０と第二マット２０とを連結する連結部４０は、下面側に配置され、第二マット２０と第三マット３０とを連結する連結部４０は上面側に配置されているとしたが、本発明はこれに限定されるものではなく、連結部は隣接する各マットを連結するものであれば良く、位置および形状などは任意に設定できる。例えば、連結部の位置は、すべて上面側または下面側に配置されても良い。
【符号の説明】
【００３７】
１  マットレス
１０  第一マット
１１  中材
１２  被覆材
２０  第二マット
３０  第三マット
４０  連結部
４  第四マット
５  第五マット
８  ベッド本体
８１  床板
８２  ヘッドボード
８３  脚部
【図１】
2020028376.tif 000003
【図２】
2020028376.tif 000004
【図３】
2020028376.tif 000005
【図４】
2020028376.tif 000006
【図５】
2020028376.tif 000007
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
人間が横たわれる長方形状の第一マットと、
前記第一マットの一方の長辺側に有する第二マットと、
前記第二マットにおいて、前記第一マットと対向する長辺側に有する第三マットと、を
備え、
前記第一マット、前記第二マット及び前記第三マットの各々は、折り曲げ可能な連結部
を介して連結され、
前記第一マットは、シングルサイズ、セミダブルサイズ、ダブルサイズのいずれかである、
ことを特徴とするマットレス。
【請求項２】
前記第一マット、前記第二マット及び前記第三マットの各々の厚みは同じである請求項
１に記載のマットレス。
【請求項３】
請求項１又は２のいずれかに記載のマットレスを備えるベッド。
【手続補正２】
【補正対象書類名】明細書
【補正対象項目名】０００４
【補正方法】変更
【補正の内容】
【０００４】
【特許文献１】特開昭５９−１７４１１１号公報
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
人間が横たわれる長方形状の第一マットと、
前記第一マットの一方の長辺側に有する第二マットと、
前記第二マットにおいて、前記第一マットと対向する長辺側に有する第三マットと、を
備え、
前記第一マット、前記第二マット及び前記第三マットの各々は、折り曲げ可能な連結部
を介して連結され、
前記第一マットは、シングルサイズ、セミダブルサイズ、ダブルサイズのいずれかであって、
前記第一マットがベッド本体の床板上に配置され、前記第二マットが前記ベッド本体の前記床板の側面に立てかけるように配置され、前記第三マットが床面に平行になるように配置されることにより、
前記第一マットはベッドとして使用できると同時に、
前記第二マットは背凭れ、前記第三マットは座面とするソファーとして使用できる
ことを特徴とするマットレス。
【請求項２】
前記第一マット、前記第二マット及び前記第三マットの各々の厚みは同じである請求項
1に記載のマットレス。
【請求項３】
請求項1又は2のいずれかに記載のマットレスを備えるベッド。